(57)【要約】【課題】  好みに応じて文字盤を交換可能であり、文字盤の着脱を簡単且つ迅速に行える時計装置を提供する。【解決手段】  時計の外形を構成する環状ケース２の内壁面に着脱可能に設置される時計盤４と、その表面側に着脱可能に設置される文字盤６と、その表面側に位置する時計針８，９を駆動する駆動部１０とを備えた時計において、文字盤６は、その表面側に時計針を位置させるため針の回転軸１１を通す孔１２を有し、ケース２の内壁面は、その正面側部分２１の内径が背面側部分２２の内径よりも小さくなるように形成し、その背面側部分２２には文字盤６と時計盤４を重ねた状態で係止する係止部（２３，２４）を設けたことを特徴とする。【選択図】  図１
2005156391.tif 000002
【特許請求の範囲】
【請求項１】
時計の外形を構成する環状のケース（２，３）と、該ケースの内壁面に着脱可能に設置される時計盤（４）と、該時計盤の表面側に着脱可能に設置される文字盤（６，７）と、該文字盤の表面側に位置する時計針（８，９）を駆動する駆動装置（１０）とを備え、前記文字盤（６，７）は、その表面側に前記時計針（８，９）を位置させるため針の回転軸（１１）を通す孔（１２）を有し、前記ケース（２，３）の内壁面は、その正面側部分（２１，３１）の内径が背面側部分（２２，３２）の内径よりも小さくなるように形成され、その背面側部分（２２，３２）には前記文字盤（６，７）と前記時計盤（４）とを重ねた状態で係止する係止部を設けたことを特徴とする時計装置。
【請求項２】
請求項１記載の時計装置において、前記係止部は、前記ケース（２）の内壁面の正面側部分（２１）と背面側部分（２２）との境界に形成された平坦部（２３）、及び該平坦部との間に前記文字盤（６，７）と前記時計盤（４）とを挟んで保持する突部（２４）で構成されていることを特徴とする時計装置。
【請求項３】
請求項１記載の時計装置において、前記ケース（３）は、その正面側の環状部が中空に形成され且つその背面側が開放されて内径の大きい内壁面を構成し、前記係止部は、前記ケース（３）の内壁面の正面側部分（３１）の端縁（３３）、及び該端縁との間に前記文字盤（６，７）と前記時計盤（４）とを挟んで保持する突部（３４）で構成されていることを特徴とする時計装置。
【発明の詳細な説明】
【技術分野】
【０００１】
本発明は、例えば好みに応じて、文字盤を交換できる時計装置に関する。
【背景技術】
【０００２】
この種の時計装置として、下記の特許文献１に示されているように、ケース内部に格納空間を設けて、前記格納空間のほぼ中央部位に時針、分針及び秒針を枢設し、かつ前記格納空間の内面側に文字盤を取付けて、文字盤の文字や時針、分針及び秒針の走行位置から時間を表示する時計において、前記ケースの格納空間周縁の適当な部位に開口を形成して、格納空間内の前記開口と対応する部位に嵌合板を凸設し、文字盤を少なくとも一つ以上設けて、各文字盤の一方側辺に前記嵌合板と嵌合する切欠きを凹設し、文字盤をケースの開口から格納空間内へ挿入して、前記切欠きと嵌合板を嵌合させるようにしてなる文字盤取換え可能な時計装置が知られている。
【０００３】
【特許文献１】実用新案登録第３０６５５３５号公報
【発明の開示】
【発明が解決しようとする課題】
【０００４】
上記の時計装置においては、文字盤を取換え可能にするためにケースの格納空間周縁に形成した開口と対応する部位に嵌合板を凸設する一方で、文字盤の側辺に前記嵌合板と嵌合する切欠きを凹設し、文字盤を取付ける際にはケースの開口から格納空間内へ挿入した文字盤の切欠きと前記嵌合板を嵌合させるという構造を採用しており、文字盤取換えのために必要な付加的な部品が多く、その構造は簡単でなく、時計の価格の増大を招くものである。
【０００５】
本発明は、好みに応じて文字盤を交換可能であり、簡潔な構造で文字盤の着脱を迅速かつ容易に行える時計装置を提供することを目的とする。
【課題を解決するための手段】
【０００６】
本発明の時計装置は、時計の外形を構成する環状のケースと、該ケースの内壁面に着脱可能に設置される時計盤と、該時計盤の表面側に着脱可能に設置される文字盤と、前記時計盤の裏面側に配置されて、その表面側に位置する時計針を駆動する駆動装置とを備え、前記文字盤は、その表面側に前記時計針を位置させるため針の回転軸を通す孔を有し、前記ケースの内壁面は、その正面側の内径が背面側の内径よりも小さくなるように形成され、その背面側の内壁面部分には前記文字盤を前記時計盤の表面側に重ねた状態で係止する係止部を設けたことを特徴とする。
【０００７】
本発明の実施態様では、前記係止部は、前記ケースの内壁面の正面側部分と背面側部分との境界に形成された平坦部、及び該平坦部との間に前記文字盤と前記時計盤とを挟んで保持する突部で構成される。
【０００８】
別の実施態様では、前記ケースは、その正面側の環状部が中空に形成され且つその背面側が開放されて内径の大きい内壁面を構成し、前記係止部は、前記ケースの内壁面の正面側部分の端縁、及び該端縁との間に前記文字盤と前記時計盤とを挟んで保持する突部で構成される。
【発明の効果】
【０００９】
本発明の時計装置を組み立てる時、或いは新たな文字盤を取付ける時には、時計盤の表面に文字盤を重ね合わせる。その際、時計盤の表面に位置している時計針を文字盤の孔に通すことで、時計盤の表面に文字盤を重ねたとき、時計針の回転軸が文字盤の孔を通って時計針が文字盤の表面側に現れる。こうして重ね合わせた文字盤と時計盤をケースの背面側から挿入すると、当該文字盤と時計盤は、内壁面の内径が異なる正面側部分と背面側部分との間に形成された段差部と、内壁面の背面側部分に設けた係止部とにより、挟まれた状態で止められる。すなわち、文字盤と時計盤は、人の手による１回の押し込み（いわゆるワンタッチ）操作でケース内に装着される。
【００１０】
一方、時計装置に組み込まれている文字盤を交換する際には、ケースの正面側から文字盤と時計盤を背面側に押すことにより、上記の係止部による文字盤と時計盤の係止が解除され、文字盤と時計盤は同時にケースの背面側に押出されるので、文字盤の取り出しもワンタッチ操作で行われる。
【００１１】
かくして、本発明によれば、ワンタッチ操作により、好みに応じて文字盤や時計盤を取付けたり交換したりすることができる。しかも、その構造は、ケースの内壁面の形状のみで実現され、既存のものよりはるかに簡潔であるから、時計装置の構成及び価格の点で非常に有利である。
【発明を実施するための最良の形態】
【００１２】
以下、図面を参照して本発明の実施形態について説明する。
【００１３】
図１に示すように、第１の実施形態に係る時計装置１は、円環状のケース２と、このケースの内壁面に着脱可能に設置される円盤状の時計盤４及び文字盤６と、時計盤４の裏面側に配置されてその表面側に位置する時計針（図示の場合、長針８と短針９）を駆動する公知の駆動部（ムーブメント）１０とを備えている。
【００１４】
文字盤６は、周知のとおり、その表面側に長針８と短針９の位置で時刻を示すための数字或いは文字を表示するものであるが、図示の実施形態では、文字盤６の中心部に時計針の回転軸１１を通す孔１２を設けている。
【００１５】
ケース２の内壁面は、その正面側部分２１の内径が背面側部分２２の内径よりも小さくなるように形成され、その背面側部分２２には、文字盤６を時計盤４の表面側に重ねた状態で係止する係止部として、内壁面の正面側部分２１と背面側部分２２との境界に形成された平坦部２３、及び平坦部２３との間に文字盤６と時計盤４とを挟んで保持する複数の突部２４を備えている。この突部２４は、図示の場合、背面側部分２２の内側に円弧状に突出した形状を有し、円周に沿って等間隔で３つ（従って１２０度の位置に）設けられている。
【００１６】
上記のように構成される時計装置１を組み立てる時、或いは新たな文字盤６を取付ける時には、まず図２に示すように、時計盤４の表面に文字盤６を重ね合わせる。その際、時計盤４の表面側に位置している時計針を一直線にする、すなわち長針８と短針９を重なる位置まで移動した上で、文字盤６の孔１２に通すようにする。これにより、時計盤４の表面に文字盤６を重ねたとき、時計針の回転軸１１が文字盤６の孔１２を通って時計針が文字盤６の表面側に現れる（図４）。
【００１７】
こうして重ね合わせた文字盤６と時計盤４をケース２の背面側から挿入する。すなわち図３に示すように、ケース２の背面側を上に向けたとき、重ね合わせた文字盤４と時計盤６は、時計盤６の裏面側の駆動部１０を上に向けた状態で、ケース２の背面側から挿入される。このとき、ケース２の正面側から見て、文字盤４の表面の数字又は文字のうち１２時を表す表示が必ず１２時の位置に来るように位置決めするため、ケース２の背面側端面上の所定位置（例えば、突部２４の位置）と、時計盤４の裏面上の所定位置（例えば、文字盤６の１２時を表す表示の位置）とに目印（マーク）２５を付けておくことが好ましい。
【００１８】
上記のように重ね合わせた文字盤６と時計盤４をケース２の背面側から挿入すると、その挿入方向の先頭に位置する文字盤６の周縁部が、内壁面の内径が異なる正面側部分２１と背面側部分２２との境界に形成された段差部を構成する平坦部２３上に当接する。そこで、文字盤６の周縁部全体がケース２内の環状の平坦部２３に当接するように周縁部全体を押し込むことにより、文字盤６と時計盤４の周縁部は、ケース２内の平坦部２３と内壁面の背面側部分２２に設けた突部２４とで挟まれた状態で止められる。こうして、文字盤６と時計盤４は、人の手による１回の押し込み（ワンタッチ）操作で、図４及び図５に示すようにケース２内に装着され、時計装置１が完成する。
【００１９】
一方、時計装置１に組み込まれている文字盤６を、図６に示すような別の文字盤７に交換する際には、図４に示すケース２の正面側から文字盤６と時計盤４を背面側に押すことにより、上記の平坦部２３と突部２４による係止が解除され、文字盤６と時計盤４は同時にケース２の背面側に押し出されるので、文字盤６の取り出しもワンタッチ操作で行われる。なお、先の文字盤６は、時刻を表示するのに必要な数字や文字のみ表示したものであるが、別の文字盤７は、時刻表示の数字などに加えて子猫の図柄１３を表したものである。このように、任意の図柄や装飾などを施した文字盤を複数若しくは多種用意することにより、１台の時計で好みの文字盤を複数揃えることができる。
【００２０】
次に、図７及び図８は、本発明の第２の実施形態に係る時計装置において特にケース３を示す。この実施形態のケース３は、その正面側の環状部が中空に形成されて、内壁面の正面側部分３１の内側は中空部３５となっており、その背面側は開放されて内径の大きい内壁面部分３２を構成している。そして、上記第１の実施形態と同様に文字盤６を時計盤４の表面側に重ねた状態で係止する係止部として、ケース３の内壁面の正面側部分３１の端縁３３、及びこの端縁３３との間に前記のように重ね合わせた文字盤６と時計盤４を挟んで保持する複数の突部３４で構成される。この突部３４は、１つの角がケース３の内側に突出した略三角形に形成されている。この第２の実施形態でも、文字盤６と時計盤４は、ワンタッチ操作でケース２内に装着し、或いは取り出すことができる。
【００２１】
この第２の実施形態によれば、ケース３を合成樹脂などの材料で一体成形することができ、その構成は時計装置を量産するのに適している。
【００２２】
以上、図示の実施形態について説明したが、本発明はこれらの実施形態のみに限定されるものではない。例えば、ケースの形状は円形に限らず、環状であれば任意の多角形でもよい。また、係止部を構成する突部も図示の形状に限らず、ケース内の段差部に文字盤と時計盤の周縁部を止めることができる任意の形状でよい。
【図面の簡単な説明】
【００２３】
【図１】本発明の第１の実施形態に係る時計装置の構成を示す分解斜視図。
【図２】時計盤の表面側に文字盤を重ね合わせる状態を示す斜視図。
【図３】第１の実施形態において時計盤の表面に文字盤を重ねてケースに挿入する状態を示す斜視図。
【図４】第１の実施形態の組立て後の外観を示す斜視図。
【図５】図４のＶ−Ｖ線に沿った縦断面図。
【図６】本発明に用いられる交換可能な文字盤の例を示す正面図。
【図７】本発明の第２の実施形態のケースを示す斜視図。
【図８】図７のケースを用いた時計装置の縦断面図。
【符号の説明】
【００２４】
１…時計装置、２，３…ケース、４…時計盤、６，７…文字盤、８…長針、９…短針、１０…駆動部、１１…回転軸、１２…孔、１３…図柄、２１，３１…内壁面の正面側部分、２２，３２…内壁面の背面側部分、２３…平坦部、２４，３４…突部、２５…マーク、３３…端縁、３５…中空部。
【図１】
2005156391.tif 000003
【図２】
2005156391.tif 000004
【図３】
2005156391.tif 000005
【図４】
2005156391.tif 000006
【図５】
2005156391.tif 000007
【図６】
2005156391.tif 000008
【図７】
2005156391.tif 000009
【図８】
2005156391.tif 000010